(57)【要約】【課題】スペクトラム・アナライザを用いて電波の受信周波数を容易に設定することができる無線受信機を提供する。【解決手段】スペクトラム・アナライザは、複数の周波数それぞれの受信信号強度を液晶表示部２２１に表示させる。制御部１０は、複数の周波数それぞれの信号強度データを平滑化して平滑化データを生成する。ユーザがタッチセンサ２２２に触れて周波数帯域内のいずれかの周波数を示す位置を指示したら、制御部１０は、ユーザによる接触位置に最も近い平滑化データにおける極大値を示す位置の周波数をピーク周波数として検出する。制御部１０は、ピーク周波数に基づいて通話用受信部１７で受信する電波の受信周波数を決定する。【選択図】図１
2015029247.tif 000002
【特許請求の範囲】
【請求項１】
所定の周波数帯域内における複数の周波数それぞれの電波を受信して受信信号強度を測定し、前記複数の周波数それぞれの受信信号強度を表示部に表示させるスペクトラム・アナライザと、
前記表示部上に配置されたタッチセンサと、
前記複数の周波数それぞれの受信信号強度を示す信号強度データを平滑化して平滑化データを生成する平滑化部と、
前記タッチセンサが検出した接触位置に最も近い前記平滑化データにおける極大値を示す位置の周波数をピーク周波数として検出するピーク周波数検出部と、
通話に使用する周波数の信号を受信する通話用受信部と、
前記ピーク周波数に基づいて前記通話用受信部で受信する電波の受信周波数を決定する受信周波数決定部と、
を備えることを特徴とする無線受信機。
【請求項２】
前記ピーク周波数を所定のオフセット周波数だけオフセットさせてピークオフセット周波数を生成する周波数オフセット部をさらに備え、
前記周波数オフセット部は、前記通話用受信部における電波モードがＳＳＢモードに設定されているとき、前記ピークオフセット周波数を生成し、
前記受信周波数決定部は、前記ピークオフセット周波数に基づいて前記受信周波数を決定する
ことを特徴とする請求項１記載の無線受信機。
【請求項３】
前記受信周波数決定部は、前記ピークオフセット周波数を、前記ピークオフセット周波数に最も近い、電波の搬送波周波数が位置する周波数に丸めて、丸めた周波数を前記受信周波数と決定することを特徴とする請求項２記載の無線受信機。
【請求項４】
前記複数の周波数それぞれの所定時間の受信信号強度を示す信号強度データを記憶する信号強度記憶部と、
前記所定時間の信号強度データを、前記複数の周波数それぞれで平均値化して平均値化データを生成する平均値化部と、
をさらに備え、
前記平滑化部は、前記平均値化データを平滑化して前記平滑化データを生成する
ことを特徴とする請求項１〜３のいずれか１項に記載の無線受信機。
【請求項５】
所定の周波数帯域内における複数の周波数それぞれの電波を受信して所定の時間間隔で受信信号強度を測定し、
前記複数の周波数それぞれの受信信号強度をスペクトラム・アナライザの表示部に表示し、
前記複数の周波数それぞれの受信信号強度を示す信号強度データを平滑化して平滑化データを生成し、
前記表示部上に配置されたタッチセンサが接触位置を検出し、
前記接触位置に最も近い前記平滑化データにおける極大値を示す位置の周波数をピーク周波数として検出し、
前記ピーク周波数に基づいて通話用受信部で受信する電波の受信周波数を決定する
ことを特徴とする受信周波数設定方法。
【発明の詳細な説明】
【技術分野】
【０００１】
本発明は、スペクトラム・アナライザを備えた無線受信機、及び、スペクトラム・アナライザを用いて受信周波数を設定する受信周波数設定方法に関する。
【背景技術】
【０００２】
無線受信機は、電波の受信周波数を調整するための同調つまみを備える。ユーザは、同調つまみを回転させて所望の受信周波数に同調させるよう設定し、設定した受信周波数の電波で伝送される音声等を受信する。
【先行技術文献】
【特許文献】
【０００３】
【特許文献１】特開２０００−３５２５６９号公報
【特許文献２】特開２００４−３４７３２０号公報
【発明の概要】
【発明が解決しようとする課題】
【０００４】
所定の周波数帯域の受信信号強度を表示するスペクトラム・アナライザを搭載した無線受信機がある。ユーザは、スペクトラム・アナライザが表示する受信信号強度によって、受信可能と思われる他のユーザの通話による送信信号を視覚的に見つけることができる。
【０００５】
そこで、同調つまみを回転させて受信周波数を設定するのではなく、スペクトラム・アナライザを用いて受信周波数を設定することができれば使い勝手がよい。スペクトラム・アナライザを用いて電波の受信周波数を容易に設定することができる無線受信機及びこれに用いる受信周波数設定方法が求められる。
【０００６】
本発明はこのような要望に対応するため、スペクトラム・アナライザを用いて電波の受信周波数を容易に設定することができる無線受信機及びこれに用いる受信周波数設定方法を提供することを目的とする。
【課題を解決するための手段】
【０００７】
本発明は、上述した従来の技術の課題を解決するため、所定の周波数帯域内における複数の周波数それぞれの電波を受信して受信信号強度を測定し、前記複数の周波数それぞれの受信信号強度を表示部に表示させるスペクトラム・アナライザと、前記表示部上に配置されたタッチセンサと、前記複数の周波数それぞれの受信信号強度を示す信号強度データを平滑化して平滑化データを生成する平滑化部と、前記タッチセンサが検出した接触位置に最も近い前記平滑化データにおける極大値を示す位置の周波数をピーク周波数として検出するピーク周波数検出部と、通話に使用する周波数の信号を受信する通話用受信部と、前記ピーク周波数に基づいて前記通話用受信部で受信する電波の受信周波数を決定する受信周波数決定部とを備えることを特徴とする無線受信機を提供する。
【０００８】
また、本発明は、上述した従来の技術の課題を解決するため、所定の周波数帯域内における複数の周波数それぞれの電波を受信して所定の時間間隔で受信信号強度を測定し、前記複数の周波数それぞれの受信信号強度をスペクトラム・アナライザの表示部に表示し、前記複数の周波数それぞれの受信信号強度を示す信号強度データを平滑化して平滑化データを生成し、前記表示部上に配置されたタッチセンサが接触位置を検出し、前記接触位置に最も近い前記平滑化データにおける極大値を示す位置の周波数をピーク周波数として検出し、前記ピーク周波数に基づいて通話用受信部で受信する電波の受信周波数を決定することを特徴とする受信周波数設定方法を提供する。
【発明の効果】
【０００９】
本発明の無線受信機及びこれに用いる受信周波数設定方法によれば、スペクトラム・アナライザを用いて電波の受信周波数を容易に設定することができる。
【図面の簡単な説明】
【００１０】
【図１】一実施形態の無線受信機を示すブロック図である。
【図２】一実施形態の無線受信機を示す外観正面図である。
【図３】ＡＭモードと、ＳＳＢモードにおけるＬＳＢモードと、ＳＳＢモードにおけるＵＳＢモードで用いる波周波数帯域を説明するための図である。
【図４】スペクトラム・アナライザに表示される受信信号強度の一例を示す図である。
【図５】図１に示す一実施形態の部分的な詳細構成を示すブロック図である。
【図６】図５に示す平滑化部１０２における平滑化処理の例を説明するための波形図である。
【図７】図５に示す平滑化部１０２によって生成された平滑化データのスペクトラムを示す図である。
【図８】図５に示す周波数オフセット部１０４におけるピーク周波数のオフセットを説明するための波形図である。
【図９】一実施形態の無線受信機の動作及び受信周波数設定方法の一実施形態を示すフローチャートである。
【発明を実施するための形態】
【００１１】
以下、一実施形態の無線受信機及びこれに用いる受信周波数設定方法について、添付図面を参照して説明する。図１は、一実施形態の無線受信機である無線送受信機１００を示している。
【００１２】
図１において、制御部１０は、無線送受信機１００の全体を制御する。アンテナ１１は電波を受信し、受信信号を信号強度測定用受信部１２と通話用受信部１７とに供給する。信号強度測定用受信部１２は、所定の周波数帯域内で電波の受信周波数を順次変更して、それぞれの受信周波数の信号を順次受信する。周波数帯域は例えば５０ｋＨｚである。
【００１３】
信号強度測定部１３は、それぞれの受信周波数の受信信号強度を測定する。信号強度測定部１３は、例えば、周波数帯域５０ｋＨｚ内の６４０箇所の受信周波数における受信信号強度を１２５ｍｓごとに測定する。信号強度測定部１３で測定された受信信号強度を示す信号強度データは、信号強度記憶部１４に一時的に記憶される。信号強度データは制御部１０に供給される。
【００１４】
後述するように、信号強度記憶部１４は、最新の信号強度データだけでなく、過去の所定時間の信号強度データを記憶する。例えば、信号強度記憶部１４は、最新の信号強度データを含めて３秒間の信号強度データを記憶する。
【００１５】
通話用送信部１５は、マイクロホン１６からの音声信号を変調してアンテナ１１より送信する。通話用受信部１７は、通話に使用する周波数の信号を受信する。通話用受信部１７は、アンテナ１１からの受信信号のうち、選択された受信周波数の信号を復調する。スピーカ１８は、通話用受信部１７によって復調された音声を出力する。
【００１６】
片方向通信の場合、通話用送信部１５と通話用受信部１７とは、制御部１０による制御に基づいて、いずれか一方のみ動作して他方が不動作とされる。
【００１７】
無線送受信機１００が音声信号の送受信に用いる電波モードとしては、ＡＭ（Amplitude Modulation）モード，ＳＳＢ（Single Side Band）モード、ＦＭ（Frequency Modulation）モード等、種々のモードがある。本実施形態で用いる電波モードは、ＡＭモードとＳＳＢモードとＦＭモードのいずれかであるとする。
【００１８】
ユーザは、同調つまみ２０を左方向または右方向に回転させることによって、通話用受信部１７における受信周波数を変更することができる。同調つまみ２０の左方向または右方向の回転量はエンコーダ１９でエンコードされて、受信周波数の変化量に置換される。制御部１０は、エンコーダ１９からの受信周波数の変化量に応じて通話用受信部１７における受信周波数を変更させる。通話用受信部１７は、変更した受信周波数に同調させる。
【００１９】
無線送受信機１００は、タッチパネル２２を備える。後に詳述するように、本実施形態においては、同調つまみ２０による受信周波数の設定に加えて、ユーザがタッチパネル２２に触れることによって通話用受信部１７における受信周波数を設定することができるように構成されている。
【００２０】
タッチパネル２２は、液晶表示部２２１と、液晶表示部２２１上に配置されたタッチセンサ２２２とを有する。ここでは表示部をいわゆる液晶パネルとしているが、有機ＥＬパネルや陰極線管等の任意の表示部を用いることができる。タッチセンサ２２２としては、抵抗膜方式や静電容量方式等の任意の方式のタッチセンサを用いることができる。
【００２１】
制御部１０は、信号強度記憶部１４から供給された信号強度データのうち、最新の信号強度データを液晶駆動部２１に供給する。液晶駆動部２１は、フレームバッファ２１０を有する。信号強度データはフレームバッファ２１０に一旦保持される。液晶駆動部２１は、フレームバッファ２１０に保持された信号強度データを液晶表示部２２１に表示させるよう液晶表示部２２１を駆動する。
【００２２】
液晶駆動部２１は、液晶表示部２２１に文字や図形等を表示させるキャラクタ・ジェネレータを有する。
【００２３】
制御部１０と、信号強度測定部１３と、信号強度記憶部１４と、液晶駆動部２１とは、所定の周波数帯域の受信信号強度を表示するスペクトラム・アナライザを構成する。
【００２４】
図２は、無線送受信機１００の外観正面図の一例である。タッチパネル２２には、所定の周波数帯域の受信信号強度が１２５ｍｓごとに最新の受信信号強度に更新されながら表示される。
【００２５】
図１に戻り、ユーザがタッチパネル２２を触れると、接触検出部２３は、ユーザがタッチセンサ２２２上のどこに触れたかを検出する。本実施形態においては、接触検出部２３は、図２に示すタッチパネル２２の水平方向の位置のみを検出すればよい。接触検出部２３で検出された位置情報は制御部１０に供給される。
【００２６】
運用周波数記憶部２４は、同調つまみ２０またはタッチパネル２２によって設定され、通話用受信部１７における電波の受信に用いる受信周波数を記憶する。通話用送信部１５における電波の送信に用いる送信周波数が受信周波数と異なる場合には、運用周波数記憶部２４は送信周波数も記憶する。オフセット周波数記憶部２５は、後述するオフセット周波数を記憶する。
【００２７】
制御部１０には、操作部２６が接続されている。操作部２６は、電波モードを選択するためのモード選択部２６０を有する。
【００２８】
図２に示すように、操作部２６は、一例として、タッチパネル２２の下方に設けられた複数のボタン及びつまみを有する。モード選択部２６０は、ＡＭモードとＳＳＢモードとＦＭモードとを選択する選択ボタン２６１と、ＳＳＢモードを選択した場合に、ＬＳＢ（Lower Side Band）モードとＵＳＢ（Upper Side Band）モードとを選択する選択ボタン２６２とを含む。
【００２９】
ＳＳＢモードでは、周波数が９．５ＭＨｚ以下のときＬＳＢモードが用いられ、周波数が９．５ＭＨｚを超えるとＵＳＢモードが用いられる。選択ボタン２６２でＬＳＢモードとＵＳＢモードとを選択する代わりに、周波数に応じてＬＳＢモードとＵＳＢモードとを自動的に選択してもよい。
【００３０】
図３の（ａ）〜（ｃ）を用いて、それぞれの電波モードについて説明する。図３の（ａ）はＡＭモードで用いる周波数帯域を概念的に示している。ＡＭモードでは、搬送波周波数ｆｃに位置する搬送波周波数成分Ｃcwと、搬送波周波数成分Ｃcwに対して低周波側の下側波ＬＳＢと、高周波側の上側波ＵＳＢとの全体が用いられる。搬送波周波数ｆｃが受信周波数に相当する。
【００３１】
図３の（ｂ）は、ＳＳＢモードにおけるＬＳＢモードで用いる周波数帯域を概念的に示している。ＬＳＢモードでは下側波ＬＳＢのみが用いられる。ＬＳＢモードでは、フィルタで下側波ＬＳＢのみを抽出して他の帯域成分を取り除くことから、搬送波周波数成分Ｃcwは存在しない。
【００３２】
図３の（ｃ）は、ＳＳＢモードにおけるＵＳＢモードで用いる周波数帯域を概念的に示している。ＵＳＢモードでは上側波ＵＳＢのみが用いられる。ＵＳＢモードでは、フィルタで上側波ＵＳＢのみを抽出して他の帯域成分を取り除くことから、搬送波周波数成分Ｃcwは存在しない。
【００３３】
図１において、モード選択部２６０によってＡＭモードを選択した場合には、制御部１０は、オフセット周波数記憶部２５に、オフセット周波数として０を記憶させる。モード選択部２６０によってＳＳＢモードを選択した場合には、制御部１０は、オフセット周波数記憶部２５に、オフセット周波数として例えば５００Ｈｚを記憶させる。
【００３４】
ＳＳＢモードを選択した場合のオフセット周波数は５００Ｈｚに限定されることはない。操作部２６によって、ＳＳＢモードを選択した場合のオフセット周波数を複数の周波数から選択するようにしてもよい。
【００３５】
以上のように構成される無線送受信機１００において、スペクトラム・アナライザを用いて受信周波数を設定する受信周波数設定方法について説明する。ユーザが、タッチパネル２２に表示されている周波数帯域内の同調させようとする周波数の位置に指で触れると、制御部１０は、以下のようにして、通話用受信部１７における受信周波数を、指で触れた位置に対応する周波数に設定させる。
【００３６】
図４は、スペクトラム・アナライザ（タッチパネル２２）に表示される周波数帯域の一例として、7.0500000MHzから7.100000MHzまでの５０ｋＨｚの帯域の受信信号強度を示している。タッチパネル２２には、現在選択されている受信周波数の位置を示すマーカ２２Ｍが表示されている。図４では、タッチパネル２２に図２では図示が省略されているグリッドが表示されている。
【００３７】
まず、ＳＳＢモードが選択されている場合の動作について説明する。
【００３８】
タッチパネル２２に表示される６４０箇所それぞれの周波数における受信信号強度は、複数の極大値を示す。極大値を示す位置は、下側波ＬＳＢまたは上側波ＵＳＢが存在している周波数である。極大値が位置する周波数は、他のユーザが音声信号を送信して受信可能と思われる周波数である。
【００３９】
図４に示すように、ユーザが、複数の極大値のうちのいずれかを選択して、タッチパネル２２上の極大値が位置する周波数の位置に触れたとする。指は所定の面積を有し、タッチセンサ２２２の分解能はタッチパネル２２の水平方向の６４０箇所を正確に識別できるほど細かくない。よって、ユーザが選択したい周波数をタッチパネル２２によって直接的に指示することは困難である。
【００４０】
前述のように、タッチパネル２２に表示される受信信号強度は１２５ｍｓごとの瞬時値である。タッチパネル２２に表示される極大値の周波数は、他のユーザの話し方によって変動する。そこで、信号強度記憶部１４は、過去の所定時間の信号強度データを記憶することが好ましい。
【００４１】
本実施形態においては、最新の信号強度データを含めて過去３秒間の信号強度データを記憶する。過去１秒間としてもよく、過去の所定時間は適宜設定すればよい。制御部１０は、過去の所定時間の信号強度データを用いて、受信周波数を決定することが好ましい。
【００４２】
図５に示すように、信号強度記憶部１４には、それぞれＰ１〜Ｐ640の６４０ポイントを有するＬ１〜Ｌ２４の２４行の信号強度データを記憶させるアドレスが設定されている。
【００４３】
タッチパネル２２に表示される６４０箇所それぞれの周波数における１２５ｍｓごとの瞬時値の信号強度データは、行Ｌ１から行Ｌ２４へと順に書き込まれる。行Ｌ２４に信号強度データが書き込まれたら、最も古い行Ｌ１に最新の信号強度データが書き込まれる。以降、同様にして、最も古い信号強度データに対して最新の信号強度データが上書きされて、信号強度データが更新されていく。
【００４４】
信号強度記憶部１４は、ＲＡＭ（Random Access Memory）によって構成することができる。信号強度記憶部１４を、２４行、６４０列のシフトレジスタで構成してもよい。
【００４５】
制御部１０は、機能的な構成として、平均値化部１０１，平滑化部１０２，ピーク周波数検出部１０３，周波数オフセット部１０４，受信周波数決定部１０５，書き込み部１０６を有する。
【００４６】
信号強度記憶部１４に記憶された最新の信号強度データは、書き込み部１０６に入力される。書き込み部１０６は、最新の信号強度データをフレームバッファ２１０に書き込む。よって、タッチパネル２２には、１２５ｍｓごとに更新される最新の受信信号強度が表示される。
【００４７】
信号強度記憶部１４に記憶された過去３秒間の信号強度データは、平均値化部１０１に入力される。平均値化部１０１は、接触検出部２３よりユーザがタッチパネル２２の接触位置を示す位置情報が入力されたら、Ｐ１〜Ｐ640の６４０ポイントそれぞれで信号強度データを平均値化する。位置情報を入力する代わりに、ユーザがタッチパネル２２を触れたことを平均値化部１０１に伝えるだけでもよい。Ｐ１〜Ｐ640の６４０ポイントそれぞれの平均値化データをＰav1〜Ｐav640とする。平均値化部１０１によって生成された平均値化データＰav1〜Ｐav640は、平滑化部１０２に入力される。
【００４８】
平滑化部１０２は、入力された平均値化データＰav1〜Ｐav640を受信信号強度の変化が滑らかとなるように平滑化する。
【００４９】
図６の（ａ），（ｂ）を用いて、平滑化部１０２における平滑化処理の例を説明する。図６の（ａ）は、平均値化部１０１より出力された平均値化データの一例である。平均値化データＰav1，Ｐav2，Ｐav3，Ｐav4…の値は０，４，７，１１，…である。
【００５０】
一例として、５点を用いる平滑化であれば、平滑化部１０２は、平滑化しようとする中心点の左右２点ずつの合計５点の平均値を新たに中心点の値（平滑化データ）とする。
【００５１】
図６の（ａ）における最も左側に位置する平均値化データＰav1と、その右側に位置する平均値化データＰav2は、左側に２点が存在しないため、５点の平均値を求めることができない。よって、平滑化部１０２からは、左から３番目の平均値化データＰav3より平滑化データが得られることになる。平均値化データＰav3，Ｐav4，Ｐav5…に対応する平滑化データをＰsm3，Ｐsm4，Ｐsm5…とする。
【００５２】
図６の（ｂ）に示すように、平均値化データＰav3においては、０，４，７，１１，１３を加算して５で除算した値である７が平滑化データＰsm3となる。平均値化データＰav4においては、４，７，１１，１３，１６を加算して５で除算した値である１０．２が平滑化データＰsm4となる。
【００５３】
以下、同様にして図６の（ａ）の平均値化データＰav3，Ｐav4，Ｐav5…を平滑化すると、図６の（ｂ）に示すように平滑化データＰsm3，Ｐsm4，Ｐsm5…となり、実線で示す波形となる。
【００５４】
図６の（ａ）の平均値化データにおける任意の点をｎとすると、任意の点ｎにおける平滑化データＰsm(n)を得る計算式は、次の式（１）となる。
Ｐsm(n)＝｛Ｐav(n-2)＋Ｐav(n-1)＋Ｐav(n)＋Ｐav(n+1)＋Ｐav(n+2)｝／５    …（１）
【００５５】
式（１）においては、平滑化データＰsm(n)を得るために、平均値化データにおける５点のデータを用いている。平滑化データＰsm(n)を求める５点の中心点に対する左側の２点を、平均値化データの代わりに、既に求めた平滑化データを用いて平滑化してもよい。
【００５６】
図６の（ａ）の左から５番目の平均値化データＰav5においては、左側の２点である平均値化データＰav3に対して平滑化データＰsm3が７、平均値化データＰav4に対して平滑化データＰsm4が１０．２と得られている。そこで、７，１１，１３，１６，１５を加算して５で除算した値である１２．４を平滑化データＰsm5とする代わりに、７，１０．２，１３，１６，１５を加算して５で除算した値である１２．２を平滑化データＰsm5としてもよい。
【００５７】
以下、同様にして、平滑化データＰsm(n)を求めようとする中心点に対する左側の２点として平滑化データを用いて平滑化すると、図６の（ｂ）に破線で示す波形となる。このようにすると、平滑化データはより滑らかとなる。
【００５８】
式（１）の代わりに、５点の加重平均を用いた次の式（２）によって平滑化データＰsm(n)を求めてもよい。
Ｐsm(n)＝｛Ｐav(n-2)＋Ｐav(n-1)×２＋Ｐav(n)×３＋Ｐav(n+1)×２＋Ｐav(n+2)｝／９    …（２）
【００５９】
式（２）では、中心点に対して重み付けしているため、それぞれの極大値が式（１）を用いる場合よりも維持される。よって、式（２）を用いる平滑化では、式（１）を用いる平滑化ほど滑らかとはならない。式（１）の方が滑らかな平滑化データとなるので、式（１）の方が好ましい。
【００６０】
平滑化部１０２における平滑化処理は、以上説明した５点を用いた平滑化に限定されない。３点や７点またはそれ以上の点を用いた平滑化としてもよい。平滑化に用いる点を増やすほど滑らかな平滑化データとなる。平滑化に用いる点数は適宜設定すればよい。このように周波数方向の複数の点を用いた平滑化とすることが好ましいが、それぞれの点ごとに平均値化する時間を十分にとることによって、時間方向に平滑化してもよい。時間方向の平滑化を本実施形態でいう平滑化に含めてもよい。
【００６１】
図５に戻り、平滑化部１０２によって生成された平滑化データは、ピーク周波数検出部１０３に入力される。ピーク周波数検出部１０３には、接触検出部２３よりユーザがタッチパネル２２を触れた接触位置の位置情報が入力される。
【００６２】
図７は、平滑化部１０２によって生成された平滑化データの7.0500000MHzから7.100000MHzまでの帯域におけるスペクトラムを示している。図７の縦軸は平滑化データの信号強度である。図７は、タッチパネル２２に表示されるものではない。
【００６３】
図７において、接触検出部２３によってユーザがタッチパネル２２を触れた接触位置がＰtchであると検出され、接触位置Ｐtchを示す位置情報がピーク周波数検出部１０３に入力されたとする。図７に示すように、ピーク周波数検出部１０３は、接触位置Ｐtchが示す周波数に対して周波数が高い方向と低い方向それぞれで、接触位置Ｐtchに最も近い極大値を示す周波数を検出する。極大値を示す周波数をピーク周波数と称する。
【００６４】
接触位置Ｐtchが示す周波数に対して周波数が高い方向のピーク周波数をｆpU、接触位置Ｐtchが示す周波数に対して周波数が低い方向のピーク周波数をｆpLとする。ピーク周波数検出部１０３は、ピーク周波数ｆpUとピーク周波数ｆpLとのうち、接触位置Ｐtchが示す周波数により近い方をピーク周波数ｆｐと決定する。図７では、ピーク周波数検出部１０３は、ピーク周波数ｆpUをピーク周波数ｆｐと決定する。
【００６５】
ピーク周波数ｆpUとピーク周波数ｆpLとを検出し、接触位置Ｐtchが示す周波数により近い方を選択することにより、接触位置Ｐtchが示す周波数に最も近いピーク周波数ｆｐを求めることができる。
【００６６】
ピーク周波数検出部１０３は、平滑化部１０２によって生成された平滑化データに基づいてピーク周波数ｆｐを求めているので、ピーク周波数ｆｐを容易に求めることができる。ピーク周波数ｆｐは、周波数オフセット部１０４に入力される。
【００６７】
周波数オフセット部１０４は、モード選択部２６０によってＬＳＢモードを選択している場合には、図８の（ａ）に示すように、ピーク周波数ｆｐに、オフセット周波数記憶部２５に記憶されているオフセット周波数を加算する。具体的には、周波数オフセット部１０４は、ピーク周波数ｆｐに５００Ｈｚを加算する。
【００６８】
通話用受信部１７によって、図３の（ｂ）に示す下側波ＬＳＢを受信するには、受信周波数を搬送波周波数ｆｃに設定することが必要である。図８の（ａ）に示すように、ピーク周波数ｆｐを周波数が高い方向に５００Ｈｚシフトさせた周波数を求めることによって、搬送波周波数ｆｃ近傍の周波数を得ることができる。
【００６９】
周波数オフセット部１０４は、モード選択部２６０によってＵＳＢモードを選択している場合には、図８の（ｂ）に示すように、ピーク周波数ｆｐより、オフセット周波数記憶部２５に記憶されているオフセット周波数を減算する。具体的には、周波数オフセット部１０４は、ピーク周波数ｆｐより５００Ｈｚを減算する。
【００７０】
通話用受信部１７によって、図３の（ｃ）に示す上側波ＵＳＢを受信するには、受信周波数を搬送波周波数ｆｃに設定することが必要である。図８の（ｂ）に示すように、ピーク周波数ｆｐを周波数が低い方向に５００Ｈｚシフトさせた周波数を求めることによって、搬送波周波数ｆｃ近傍の周波数を得ることができる。
【００７１】
前述のように、ＳＳＢモードでは、搬送波周波数成分Ｃcwが存在しないため、搬送波周波数ｆｃを直接的に求めることはできない。下側波ＬＳＢまたは上側波ＵＳＢのピーク周波数ｆｐを求め、ピーク周波数ｆｐに基づいて搬送波周波数ｆｃを間接的に求めることができる。
【００７２】
なお、ピーク周波数ｆｐを５００Ｈｚシフトさせても、搬送波周波数ｆｃと一致するとは限らない。また、５００Ｈｚ以外の周波数だけシフトさせた方が高音質となる場合もある。そこで、操作部２６によって、ＳＳＢモードを選択した場合のオフセット周波数を複数の周波数から選択可能であることが好ましい。
【００７３】
周波数オフセット部１０４は、ピーク周波数ｆｐをオフセット周波数だけオフセットさせたピークオフセット周波数ｆpoを受信周波数決定部１０５に供給する。
【００７４】
搬送波周波数ｆｃが位置する周波数が予め定められている場合が多い。例えば、搬送波周波数ｆｃは５００Ｈｚごとに設定される。そこで、受信周波数決定部１０５は、ピークオフセット周波数ｆpoにおける１ｋＨｚ未満の周波数ｆを次の規則に従って丸めることが好ましい。
【００７５】
０≦ｆ＜２５０        ：      ０Ｈｚ
２５０≦ｆ＜７５０    ：  ５００Ｈｚ
７５０≦ｆ＜１０００  ：１０００Ｈｚ
【００７６】
ピークオフセット周波数ｆpoにおける１ｋＨｚ未満の周波数ｆを上記の規則に従って丸めることによって、ピークオフセット周波数ｆpoに最も近い、搬送波周波数ｆｃが位置する周波数とすることができる。
【００７７】
受信周波数決定部１０５は、上記の規則に従って、ピークオフセット周波数ｆpoにおける１ｋＨｚ未満の周波数ｆを０，５００，１０００のいずれかに丸めた周波数を最終的な受信周波数と決定する。受信周波数決定部１０５は、決定した受信周波数を通話用受信部１７に供給する。
【００７８】
次に、ＡＭモードまたはＦＭモードが選択されている場合の動作について説明する。
【００７９】
図３の（ａ）に示すように、ＡＭモードでは、搬送波周波数ｆｃに位置する搬送波周波数成分Ｃcwが存在する。搬送波周波数成分Ｃcwの信号強度は、下側波ＬＳＢ及び上側波ＵＳＢの信号強度よりも大きい。そこで、ユーザは、タッチパネル２２上で搬送波周波数成分Ｃcwの位置の近傍を触れることができる。搬送波周波数成分Ｃcwの位置の近傍を触れれば、ピーク周波数検出部１０３は、搬送波周波数成分Ｃcwのピーク周波数ｆｐを検出する。搬送波周波数成分Ｃcwのピーク周波数ｆｐは、ほぼ搬送波周波数ｆｃである。
【００８０】
ＦＭモードでは、無変調時に搬送波周波数成分ＣcwのみとなるのはＡＭモードと同じであるが、搬送波周波数成分Ｃcwの周波数が変調により搬送波周波数ｆｃから対称に偏移する。周波数偏移は、変調度（音声変調であれば変調音量）で定まる。このため音声で変調されたＦＭ信号の平滑化されたスペクトラムのデータのピークは、ほぼ搬送波周波数ｆｃである。
【００８１】
モード選択部２６０によってＡＭモードまたはＦＭモードを選択している場合には、オフセット周波数記憶部２５に記憶されているオフセット周波数は０である。周波数オフセット部１０４は、ピーク周波数ｆｐをオフセットさせず、ピーク周波数ｆｐをそのまま受信周波数決定部１０５に供給する。
【００８２】
受信周波数決定部１０５は、同様に、上記の規則に従って、ピーク周波数ｆｐにおける１ｋＨｚ未満の周波数ｆを０，５００，１０００のいずれかに丸めた周波数を最終的な受信周波数と決定する。受信周波数決定部１０５は、決定した受信周波数を通話用受信部１７に供給する。
【００８３】
以上のようにして、受信周波数と決定したら、液晶駆動部２１は、図４に示すタッチパネル２２上のマーカ２２Ｍを新たに設定した受信周波数の位置へと移動させる。
【００８４】
ところで、スペクトラム・アナライザの表示モードとして、受信周波数を示すマーカ２２Ｍを常時、タッチパネル２２の水平方向の中心に位置させるモードがある。このモードでは、マーカ２２Ｍを移動させる代わりに、新たに設定した受信周波数が水平方向の中心となるように、タッチパネル２２に表示させる周波数帯域をずらせばよい。
【００８５】
図９のフローチャートを用いて、無線送受信機１００の動作及び受信周波数設定方法について改めて説明する。
【００８６】
図９において、制御部１０は、ステップＳ１にて、タッチパネル２２の接触位置を示す位置情報が入力されたか否かを判定する。位置情報が入力されれば（YES）、制御部１０は、処理をステップＳ２へと移行させる。位置情報が入力されなければ（NO）、制御部１０は、ステップＳ１の処理を繰り返す。
【００８７】
制御部１０は、ステップＳ２にて、過去所定時間の信号強度データを平均値化する。ステップＳ２は必須ではないが、ステップＳ２を設けることが好ましい。制御部１０は、ステップＳ３にて、平均値化データを平滑化する。ステップＳ２を設けない場合は、制御部１０は、ステップＳ３にて、信号強度データを平滑化する。
【００８８】
制御部１０は、ステップＳ４にて、接触位置に最も近いピーク周波数ｆｐを検出する。制御部１０は、ステップＳ５にて、通話用受信部１７における電波モードがＳＳＢモードに設定されているか否かを判定する。ＳＳＢモードに設定されていれば（YES）、制御部１０は、処理をステップＳ６に移行させる。ＳＳＢモードに設定されていなければ（NO）、制御部１０は、処理をステップＳ９に移行させる。
【００８９】
制御部１０は、ステップＳ６にて、ＬＳＢモードに設定されているか否かを判定する。ＬＳＢモードに設定されていれば（YES）、制御部１０は、ステップＳ７にて、ピーク周波数ｆｐにオフセット周波数を加算して、ピークオフセット周波数ｆpoを算出する。ＬＳＢモードに設定されていなければ（NO）、制御部１０は、ステップＳ８にて、ピーク周波数ｆｐからオフセット周波数を減算して、ピークオフセット周波数ｆpoを算出する。
【００９０】
制御部１０は、ステップＳ９にて、ＳＳＢモードではピークオフセット周波数ｆpoの１ｋＨｚ未満の周波数を丸め、ＡＭモードまたはＦＭモードではピーク周波数ｆｐの１ｋＨｚ未満の周波数を丸めて、受信周波数を決定する。制御部１０は、ステップＳ１０にて、通話用受信部１７に受信周波数を設定して処理を終了させる。
【００９１】
図９に示す例では、タッチパネル２２の接触位置を示す位置情報が入力されたら、平均値化部１０１によって信号強度データを平均値化し、平滑化部１０２によって平均値化データＰav1〜Ｐav640を平滑化している。このようにすれば、ユーザがタッチパネル２２を触れたときのみ平均値化部１０１及び平滑化部１０２を動作させればよい。
【００９２】
勿論、ユーザがタッチパネル２２を触れるか否かにかかわらず、平均値化部１０１及び平滑化部１０２を動作させておき、ユーザがタッチパネル２２を触れたら、ピーク周波数検出部１０３によってピーク周波数を検出させてもよい。
【００９３】
本発明は、以上説明した本実施形態に限定されるものではなく、本発明の要旨を逸脱しない範囲において種々変更可能である。
【符号の説明】
【００９４】
１０  制御部（スペクトラム・アナライザ）
１３  信号強度測定部（スペクトラム・アナライザ）
１４  信号強度記憶部（スペクトラム・アナライザ）
１７  通話用受信部
２１  液晶駆動部（スペクトラム・アナライザ）
２２  タッチパネル
１００  無線送受信機
１０１  平均値化部
１０２  平滑化部
１０３  ピーク周波数検出部
１０４  周波数オフセット部
１０５  受信周波数決定部
２２２  タッチセンサ
【図１】
2015029247.tif 000003
【図２】
2015029247.tif 000004
【図３】
2015029247.tif 000005
【図４】
2015029247.tif 000006
【図５】
2015029247.tif 000007
【図６】
2015029247.tif 000008
【図７】
2015029247.tif 000009
【図８】
2015029247.tif 000010
【図９】
2015029247.tif 000011